(57)【要約】【課題】  従属同期がくずれてクロック周波数にずれが生じた場合に、そのずれ発生を直ちに検出して警告可能なＯＦＤＭ送信装置を提供する。【解決手段】  クロック周波数監視装置２０は、ＯＦＤＭ変調器１４１〜１４ｎで従属同期に供される各チャンネルのＣＫ信号をモニタし、それぞれルビジウム発振器１６で得られる基準クロック信号ＬＯと比較して、その周波数差が許容範囲にあるか否かを監視する。また、制御・監視装置２１は、ＣＮリセット装置１３１〜１３ｎ、ＯＦＤＭ変調器１４１〜１４ｎの処理を総括的に制御すると共に、クロック周波数監視装置２０から、いずれかのチャンネルのクロックに許容範囲を超える以上が生じたことが検出されたとき、警報信号を発令して、例えば送信元に通知する。【選択図】      図１
2006279583.tif 000002
【特許請求の範囲】
【請求項１】
入力されるＯＦＤＭ（直交周波数分割多重）信号に含まれるクロックを検出するクロック検出手段と、
前記クロック検出手段の検出クロックに前記ＯＦＤＭ信号の送信周波数を決定するクロックを従属同期させる従属同期手段と、
前記従属同期クロックの周波数変動を監視する監視手段と、
を具備することを特徴とするＯＦＤＭ送信装置。
【請求項２】
前記監視手段は、前記入力ＯＦＤＭ信号が複数あって互いに同一のクロックを含み、それぞれの送信周波数を個別に従属同期させるとき、前記複数の入力ＯＦＤＭ信号それぞれに対応する従属同期クロックを互いに比較することで前記周波数変動を監視することを特徴とする請求項１記載のＯＦＤＭ送信装置。
【請求項３】
前記監視手段は、外部から基準クロックを取り込んで前記従属同期クロックと比較することで前記周波数変動を監視することを特徴とする請求項１記載のＯＦＤＭ送信装置。
【請求項４】
前記外部から取り込まれる基準クロックは、衛星測位システムの衛星信号を受信し、当該衛星信号から抽出されるクロックであることを特徴とする請求項３記載のＯＦＤＭ送信装置。
【請求項５】
さらに、前記監視手段で前記従属同期クロックの周波数変動が許容範囲を超えたとき、警報を発令する警報発令手段を備えることを特徴とする請求項１記載のＯＦＤＭ送信装置。
【請求項６】
さらに、前記監視手段の監視結果に基づいて、現用・予備の切替を制御する現用・予備制御手段を備えることを特徴とする請求項１記載のＯＦＤＭ送信装置。
【発明の詳細な説明】
【技術分野】
【０００１】
本発明は、例えば地上デジタル放送システムの送信所、中継局に用いられるＯＦＤＭ送信装置において、従属同期の際のクロック周波数を監視して、当該周波数がずれた場合の送信周波数のずれを検出する技術に関する。
【背景技術】
【０００２】
我が国の地上デジタル放送では、ＩＳＤＢ−Ｔ方式を採用し、各チャンネルの放送信号をそれぞれＯＦＤＭ（Orthogonal Frequency Division Multiplex：直交周波数分割多重）信号に変換して、ＳＦＮ（Single Frequency Network：単一周波数網）によって伝送する。
【０００３】
ところで、従来のアナログ放送信号を伝送する場合には、送信所または中継局の各送信点でクロック周波数の同期化を図る必要はなかったが、デジタル放送では再送信のためのＯＦＤＭ用サンプリングクロックを被送信信号のクロックに同期させる必要がある。すなわち、このような従属同期を要する送信装置では、何らかの原因によって従属同期がくずれ、クロック周波数がずれてしまうと、再送信信号の周波数にずれを生じてしまい、後段の回路装置に悪影響を及ぼし、場合によっては各受信装置での受信が困難となる。このため、従属同期のクロック周波数を監視し、ずれが生じた場合には直ちに報知可能とすることが望まれている。
【０００４】
尚、地上デジタル放送中継装置における周波数同期回路については、特許文献１にその一例が示されており、また、サンプリング回路及び無線中継装置については、特許文献２にその一例が示されている。
【特許文献１】特開２００１−１８９６５７公報
【特許文献２】特開２００３−０６０６２９公報
【発明の開示】
【発明が解決しようとする課題】
【０００５】
以上述べたように、地上デジタル放送等のＯＦＤＭ信号伝送システムの送信所または中継局に用いられるＯＦＤＭ送信装置では、局間の従属同期がくずれ、クロック周波数がずれてしまうと、送信周波数にずれを生じてしまうため、従属同期のクロック周波数ずれが生じた場合に、直ちにこれを検出できるようにする必要がある。
【０００６】
本発明は、上記の課題を解決し、入力ＯＦＤＭ信号のクロックの周波数変動によって従属同期がくずれた場合でも、直ちにこれを検出して報知することのできるＯＦＤＭ送信装置を提供することを目的とする。
【課題を解決するための手段】
【０００７】
上記目的を達成するために本発明に係るＯＦＤＭ送信装置は、入力されるＯＦＤＭ（直交周波数分割多重）信号に含まれるクロックを検出するクロック検出手段と、前記クロック検出手段の検出クロックに前記ＯＦＤＭ信号の送信周波数を決定するクロックを従属同期させる従属同期手段と、前記従属同期クロックの周波数変動を監視する監視手段とを具備して構成される。
【０００８】
このように構成することにより、入力ＯＦＤＭ信号に含まれるクロックに従属同期されるクロックを常時検出してその周波数変動を監視しているので、従属同期クロックの周波数変動が許容範囲から外れた場合に、直ちにこれを報知することが可能となる。
【発明の効果】
【０００９】
以上のように、本発明によれば、入力ＯＦＤＭ信号のクロックの周波数変動によって従属同期がくずれた場合でも、直ちにこれを検出して報知することのできるＯＦＤＭ送信装置を提供することができる。
【発明を実施するための最良の形態】
【００１０】
以下、本発明の実施の形態について図面を参照して詳細に説明する。
【００１１】
図１は本発明に係る送信装置が適用された、ＩＳＤＢ−Ｔ方式の地上デジタル放送システムの中継装置の一実施形態を示すブロック構成図である。図１において、放送波受信アンテナ１１で受信された信号は複数チャンネル（ここではｎチャンネルとする）相当に対応するｎ系統に分配され、それぞれダウンコンバータ（Ｄ／Ｃ）１２１〜１２ｎによって、基準クロックＬＯに基づいてＩＦ帯に変換される。ＩＦ帯に変換された各チャンネルのＯＦＤＭ信号はＣＮ（妨害）リセット装置１３１〜１３ｎで不要波成分が除去され、送信ストリーム信号ＴＳ、周波数同期信号ＦＳＹＮＣ及びクロック信号ＣＫが抽出される。これらの信号はＯＦＤＭ変調器１４１〜１４ｎに送られる。
【００１２】
一方、この中継装置ではＧＰＳアンテナ１５を備え、このＧＰＳアンテナ１５で受信されたＧＰＳ（衛星測位システム）信号はルビジウム発振器１６に送られる。このルビジウム発振器１６は、ＧＰＳ信号中からクロック信号を抽出し、このクロック信号に基づいてルビジウム発振出力を位相同期させ、１０ＭＨｚの基準クロック信号ＬＯを生成するもので、この基準クロック信号は上記ダウンコンバータ１２１〜１２ｎの周波数変換（ＲＦ→ＩＦ）、ＯＦＤＭ変調器１４１〜１４ｎの従属同期、アップコンバータ１７１〜１７ｎの周波数変換（ＩＦ→ＲＦ）に供される。
【００１３】
上記ＯＦＤＭ変調器１４１〜１４ｎは、入力送信ストリーム信号ＴＳを再変調して出力するもので、その再変調出力はアップコンバータ（Ｕ／Ｃ）１７１〜１７ｎによってＲＦ帯に周波数変換された後、マルチ・チャンネル・パワーアンプ（ＭＣＰＡ）及びバンド・パス・フィルタ（ＢＰＦ）を備える送信機１８で電力増幅され帯域制限されて、送信アンテナ１９から所定のサービスエリアに向けて送出される。
【００１４】
上記構成による中継装置において、本発明の特徴とする点は、クロック周波数監視装置２０及び制御・監視装置２１を備えるようにした点にある。クロック周波数監視装置２０は、ＯＦＤＭ変調器１４１〜１４ｎの変調クロック信号をモニタし、ルビジウム発振器１６で得られる基準クロック信号ＬＯと比較して、その周波数差が許容範囲にあるか監視する。制御・監視装置２１は、クロック周波数監視装置２０の監視結果で異常発生が検出された場合に、ＣＮリセット装置１３１〜１３ｎ及びＯＦＤＭ変調器１４１〜１４ｎを待避動作させると共に、異常発生の警報を発令して、例えば送信所に通知する。
【００１５】
すなわち、上記構成による中継装置では、送信信号に含まれる、入力クロック信号ＣＫの再変調クロック信号をモニタし、基準クロック信号と比較することで従属同期のくずれを監視し、両クロックの周波数差が許容範囲から外れた場合には、警報を発するようにしている。
【００１６】
したがって、上記構成によれば、入力ＯＦＤＭ信号のクロックの周波数変動によって従属同期がくずれた場合でも、直ちにこれを検出して報知することができる。
【００１７】
尚、上記実施形態では、ＧＰＳ信号から抽出されるクロック信号を基準クロック信号として利用しているが、本発明はこれに限定されず、他の外部クロックを利用することも可能である。また、上記実施形態のように、複数チャンネルのＯＦＤＭ信号が入力される場合には、互いに検出クロックを比較することで、異常を検出することもできる。さらに、現用・予備が装備されている場合には、クロック監視結果に基づいて現用・予備の切替制御を行うようにしてもよい。
【００１８】
また、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００１９】
【図１】ＩＳＤＢ−Ｔ方式の地上デジタル放送伝送システムにおける中継装置に本発明に係るＯＦＤＭ送信装置を適用した場合の構成を示すブロック図。
【符号の説明】
【００２０】
１１…受信アンテナ、
１２１〜１２ｎ…ダウンコンバータ（Ｄ／Ｃ）、
１３１〜１３ｎ…ＣＮリセット装置、
１４１〜１４ｎ…ＯＦＤＭ変調器、
１５…ＧＰＳ受信アンテナ、
１６…ルビジウム発振器（ＲｂＯＳＣ）、
１７１〜１７ｎ…アップコンバータ（Ｕ／Ｃ）、
１８…送信アンプ、
１９…送信アンテナ、
２０…クロック周波数監視装置、
２１…制御・監視装置。
【図１】
2006279583.tif 000003